【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
ログイン中のユーザからの指示でジョブを実行することが可能な画像処理装置であって、
前記画像処理装置にログインしているユーザがログアウトするための指示を検知する検知手段と、
前記検知手段が前記指示を検知した場合、前記画像処理装置において実行中のジョブが、前記ログインしているユーザからの指示を必要とするか否かを判断する判断手段と、
前記判断手段によって、前記実行中のジョブが前記ログインしているユーザからの指示を必要とすると判断された場合、前記検知手段が検知した指示に基づいてログアウトすることを制限する制御手段とを備えることを特徴とする画像処理装置。
【請求項２】
前記制御手段は、前記判断手段によって、前記実行中のジョブが前記ログインしているユーザからの指示を必要とすると判断された場合、前記実行中のジョブを中止した後に前記検知手段が検知した指示に基づいてログアウトすることを特徴とする請求項１に記載の画像処理装置。
【請求項３】
前記検知手段が前記指示を検知した場合、前記ログインしているユーザからの指示を必要とするジョブから前記ログインしているユーザからの指示を必要としないジョブとなるよう設定を変更する変更手段を更に備え、
前記制御手段は、前記判断手段によって、前記実行中のジョブが前記ログインしているユーザからの指示を必要とすると判断された場合、前記変更手段によって設定を変更された後に、前記検知手段が検知した指示に基づいてログアウトすることを特徴とする請求項１または２に記載の画像処理装置。
【請求項４】
前記制御手段は、前記判断手段によって、前記実行中のジョブが前記ログインしているユーザからの指示を必要としないと判断された場合、前記実行中のジョブを中止することなく、前記検知手段が検知した指示に基づいてログアウトすることを特徴とする請求項１乃至３のいずれか１項に記載の画像処理装置。
【請求項５】
前記検知手段によって検知された指示がユーザによる指示であるか否かを判断する第２の判断手段を更に備えることを特徴とする請求項１乃至４のいずれか１項に記載の画像処理装置。
【請求項６】
前記制御手段は、前記判断手段によって、前記実行中のジョブが前記ログインしているユーザからの指示を必要とすると判断された場合であって、前記第２の判断手段によって、前記指示がユーザによる指示でないと判断された場合、前記実行中のジョブを中止した後に前記検知手段が検知したログアウトの指示に基づいてログアウトすることを特徴とする請求項５に記載の画像処理装置。
【請求項７】
前記判断手段によって、前記実行中のジョブが前記ログインしているユーザからの指示を必要とすると判断された場合、実行中のジョブに対してユーザからの指示を必要としないジョブとなるよう設定を変更するか否かをユーザに問い合わせる問い合わせ手段を更に備えることを特徴とする請求項１乃至６のいずれか１項に記載の画像処理装置。
【請求項８】
前記判断手段によって、前記実行中のジョブが前記ログインしているユーザからの指示を必要とすると判断された場合であっても、前記検知手段が前記ログアウトするための指示を検知した際にすでに前記実行中のジョブに必要とされる指示が前記ログインしているユーザからなされている場合には、前記ログアウトを制限することなく実行することを特徴とする請求項１乃至７のいずれか１項に記載の画像処理装置。
【請求項９】
ログイン中のユーザからの指示でジョブを実行することが可能な画像処理装置であって、
第１のユーザが前記画像処理装置にログインするための指示を検知する検知手段と、
前記検知手段が前記指示を検知した場合、前記画像処理装置において実行中のジョブが、前記第１のユーザと異なる第２のユーザからの指示を必要とするか否かを判断する判断手段と、
前記判断手段によって、前記実行中のジョブが前記第２のユーザからの指示を必要とすると判断された場合、前記検知手段が検知した指示に基づいてログインすることを制限する制御手段とを備えることを特徴とする画像処理装置。
【請求項１０】
前記制御手段は、前記判断手段によって、前記実行中のジョブが前記第２のユーザからの指示を必要とすると判断された場合、前記実行中のジョブを中止した後に、前記検知手段が検知した指示に基づいてログインすることを特徴とする請求項９に記載の画像処理装置。
【請求項１１】
前記制御手段は、前記判断手段によって、前記実行中のジョブが前記第２のユーザからの指示を必要としないと判断された場合、前記実行中のジョブを中止することなく、前記検知手段が検知した指示に基づいてログインすることを特徴とする請求項９または１０に記載の画像処理装置。
【請求項１２】
ログイン中のユーザからの指示でジョブを実行することが可能な画像処理装置の制御方法であって、
前記画像処理装置にログインしているユーザがログアウトするための指示を検知する検知ステップと、
前記検知ステップで前記指示を検知した場合、前記画像処理装置において実行中のジョブが、前記ログインしているユーザからの指示を必要とするか否かを判断する判断ステップと、
前記判断ステップで、前記実行中のジョブが前記ログインしているユーザからの指示を必要とすると判断された場合、前記検知ステップで検知した指示に基づいてログアウトすることを制限する制御ステップとを備えることを特徴とする制御方法。
【請求項１３】
ログイン中のユーザからの指示でジョブを実行することが可能な画像処理装置の制御方法であって、
第１のユーザが前記画像処理装置にログインするための指示を検知する検知ステップと、
前記検知ステップで前記指示を検知した場合、前記画像処理装置において実行中のジョブが前記第１のユーザと異なる第２のユーザからの指示を必要とするか否かを判断する判断ステップと、
前記判断ステップで、前記実行中のジョブが前記第２のユーザからの指示を必要とすると判断された場合、前記検知手段が検知した指示に基づいてログインすることを制限する制御ステップとを備えることを特徴とする制御方法。
【請求項１４】
請求項１２に記載の制御方法を画像処理装置に実行させるためのコンピュータが読み取り可能なプログラム。
【請求項１５】
請求項１３に記載の制御方法を画像処理装置に実行させるためのコンピュータが読み取り可能なプログラム。
【手続補正２】
【補正対象書類名】明細書
【補正対象項目名】発明の名称
【補正方法】変更
【補正の内容】
【発明の名称】画像処理装置及びその制御方法、並びにプログラム  
【手続補正３】
【補正対象書類名】明細書
【補正対象項目名】０００１
【補正方法】変更
【補正の内容】
【０００１】
本発明は、画像処理装置及びその制御方法、並びにプログラムに関する。
【手続補正４】
【補正対象書類名】明細書
【補正対象項目名】００２０
【補正方法】変更
【補正の内容】
【００２０】
本発明の目的は、ログアウト時に会話状態で停止するジョブ設定で実行された会話型ジョブを実行したまま、自動ログアウトが発生した場合、ジョブを自動中止することができる画像処理装置及びその制御方法、並びにプログラムを提供することにある。
【手続補正５】
【補正対象書類名】明細書
【補正対象項目名】００２１
【補正方法】変更
【補正の内容】
【００２１】
上記目的を達成するために、本発明の画像処理装置は、ログイン中のユーザからの指示でジョブを実行することが可能な画像処理装置であって、前記画像処理装置にログインしているユーザがログアウトするための指示を検知する検知手段と、前記検知手段が前記指示を検知した場合、前記画像処理装置において実行中のジョブが、前記ログインしているユーザからの指示を必要とするか否かを判断する判断手段と、前記判断手段によって、前記実行中のジョブが前記ログインしているユーザからの指示を必要とすると判断された場合、前記検知手段が検知した指示に基づいてログアウトすることを制限する制御手段とを備えることを特徴とする。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】変更
【補正の内容】
【００３４】
本発明によれば、ログアウト時に会話状態で停止するジョブ設定で実行された会話型ジョブを実行したまま、自動ログアウトが発生した場合、ジョブを自動中止することができる。
【手続補正１９】
【補正対象書類名】明細書
【補正対象項目名】００８２
【補正方法】変更
【補正の内容】
【００８２】
そして会話モードに移行しうる会話型ジョブが実行中であるか否かを判断する（ステッ
プＳ７０２）。会話型ジョブには、原稿台からの連続スキャン指定のジョブや、スキャンした原稿を確認しながら次の処理へ進む原稿プレビュージョブ、複数部出力時に出力の一部を確認した後に残りの部を出力する試しコピージョブ等が存在する。つまり、ジョブの実行を開始してからジョブが実行を完了するまでの間に、ユーザによる何らかの操作指示（以下、インタラクションと呼ぶ）を必要とするジョブである。インタラクションを待機している状態のままではそのジョブは完了しない。
【手続補正２０】
【補正対象書類名】明細書
【補正対象項目名】００８８
【補正方法】変更
【補正の内容】
【００８８】
会話モードに移行しうる会話型ジョブが実行中でない場合はステップＳ７０９へ進み、ログアウトを行う。一方、会話モードに移行しうる会話型ジョブが実行中である場合はステップＳ７０３へ進み、ログアウトの要因が一定時間無操作での放置による自動ログアウトであるか、ユーザ指示による手動ログアウトかを判断する。
【手続補正２１】
【補正対象書類名】明細書
【補正対象項目名】００８９
【補正方法】変更
【補正の内容】
【００８９】
自動ログアウトの場合は、ステップＳ７０４へ進みジョブキャンセルを行い、ステップＳ７０９においてログアウトを行い、本処理を終了する。一方、手動ログアウトの場合はステップＳ７０５へ進み、図１０のような警告画面を表示し、ステップＳ７０６において会話型ジョブのジョブ設定を変更するかしないかをユーザに確認する。
【手続補正２２】
【補正対象書類名】明細書
【補正対象項目名】００９１
【補正方法】変更
【補正の内容】
【００９１】
変更可能である場合はステップＳ７０８へ進み、ジョブの設定を変更し、ステップＳ７０９においてログアウトし、処理を終了する。これにより、ジョブの終了までインタラクションが発生しないので後続のユーザがＭＦＰを使用できなくなるような状況は起こらない。一方、ステップＳ７０６においてユーザが変更を希望しない場合、ステップＳ７０７においてジョブ設定を取り消すことができない場合はＳ７１０へ進む。
【手続補正２３】
【補正対象書類名】明細書
【補正対象項目名】００９９
【補正方法】変更
【補正の内容】
【００９９】
図８において、まず、ログインイベントを検知し（ステップＳ８０１）、会話モードに移行しうる会話型ジョブが実行中であるか否かを判断する（ステップＳ８０２）。ステップＳ８０２の判断は図７のステップＳ７０２と同様である。実行されていない場合はステップＳ８０３に進み、会話状態で停止しているジョブが存在するか否かを判断する。
【手続補正２４】
【補正対象書類名】明細書
【補正対象項目名】０１００
【補正方法】変更
【補正の内容】
【０１００】
会話状態で停止しているジョブが存在しない場合はステップＳ８０７へ進み、ＡＣＴ１０５を元にユーザの制限情報を解析し、ユーザに許可された図１３のような基本画面を表示し（ステップＳ８０８）、処理を終了する。